(57)【要約】【課題】同一キーに異なる機能を割り当てたリモコンを有するテレビジョン放送受信装置において、操作メニューに対応した適切なリモコン操作ガイドを表示することが可能なテレビジョン放送受信装置を提供する。【解決手段】リモコン信号を受信し制御部に通知するリモコン受信部と、リモコンの指示に従いリモコンの操作キーに対応したメニューを表示するメニュー表示手段と、メニュー選択項目に応じて操作に必要なキーと各操作キーに対応したキーガイドを判断するキーガイド判断部を備えキーガイドを表示するキーガイド表示手段を有した制御部と制御部が使用する記憶部と、メニューとキーガイド表示をする表示部を備えたことを特徴とする。【選択図】図１
2006238279.tif 000002
【特許請求の範囲】
【請求項１】
リモコン信号を受信し制御部に通知するリモコン受信部と、リモコンの指示に従いリモコンの操作キーに対応したメニューを表示するメニュー表示手段と、メニュー選択項目に応じて操作に必要なキーと各操作キーに対応したキーガイドを判断するキーガイド判断部を備えキーガイドを表示するキーガイド表示手段を有した制御部と、制御部が使用する記憶部とメニューとキーガイド表示をする表示部を備えたテレビジョン放送受信装置。
【請求項２】
ユーザ操作履歴を基に、表示したメニューにおいて使用頻度の高いリモコンキーを識別表示する請求項１記載のテレビジョン放送受信装置。
【発明の詳細な説明】
【技術分野】
【０００１】
本発明はテレビジョン放送受信装置におけるリモコン操作ガイドに関するものである。
【背景技術】
【０００２】
近年、テレビジョン放送受信装置の機能は多様化し、その操作は複雑になってきている。多様化した機能の多くは、リモコンによる操作でユーザ操作を実現しており、リモコン操作をユーザに簡単に理解してもらえるようにリモコン操作ガイドを表示するという手段がある。
【０００３】
リモコン操作ガイドを表示するテレビジョン放送受信装置については、リモコンにガイドキーを設け、ガイドキー押下の後、機能の知りたいリモコンキー押下もしくはメニュー表示中の押下により、リモコン操作ガイドを表示するものがある（例えば、特許文献１参照）。
【０００４】
また、メニュー表示中にリモコン操作ガイドを表示する従来例として、メニュー選択項目に応じて、リモコンの十字キーで操作可能なカーソルの遷移方向を示す十字キーガイドを表示する光ディスクプレーヤが公知である（例えば、特許文献２参照）。
【０００５】
ここで図９を用いて上記光ディスクプレーヤのメニュー表示と十字キーガイドの動作について説明する。
【０００６】
図９の、９０１はメニュー選択項目表示、９０２は十字キーガイド表示、９０３はメニュー表示である。
【０００７】
ユーザが選択したメニュー選択項目９０１に対して十字キーガイド表示９０２により、十字キーで遷移できる方向を示している。
【特許文献１】特開平８−６５５８７号公報
【特許文献２】特開２００１−１１８３１２号公報
【発明の開示】
【発明が解決しようとする課題】
【０００８】
しかしながら、上記従来のリモコン操作ガイドを表示するテレビジョン放送受信装置（例えば、特許文献１参照）では、操作ガイド表示を要求するための専用リモコンキーを設けなければならない。リモコンは手に持ち易いという限られたスペースでキーを配置しなければならないため、この条件下で専用キーを置くのは実現性に乏しい。また、操作方法が知りたいユーザにとっては操作ガイドキーを押すという操作を強要してしまう。
【０００９】
通常のキー操作と連動して操作ガイドを表示し、操作ガイドのための専用キーを持たない上記従来の光ディスクプレーヤにおける十字キーガイド（例えば、特許文献２参照）は、メニュー選択項目の位置に応じて操作可能なカーソルの遷移方向のみを示すものであって、例えば、メニュー毎に十字キーに異なる機能が割り当てられていた場合、十字キーに割り当てられた機能をメニューに応じてガイド表示することはできなかった。
【００１０】
本発明は、上記事情に鑑みて成されたもので、同一キーに異なる機能を割り当てたリモコンを有するテレビジョン放送受信装置において、操作メニューに対応した適切なリモコン操作ガイドを表示することが可能なテレビジョン放送受信装置を提供することを目的とする。
【課題を解決するための手段】
【００１１】
本発明のテレビジョン放送受信装置は、リモコン信号を受信し制御部に通知するリモコン受信部と、リモコンの指示に従いリモコンの操作キーに対応したメニューを表示するメニュー表示手段と、メニュー選択項目に応じて操作に必要なキーと各操作キーに対応したキーガイドを判断するキーガイド判断部を備えキーガイドを表示するキーガイド表示手段を有した制御部と、制御部が使用する記憶部とメニューとキーガイド表示をする表示部から構成される。
【００１２】
また、上記テレビジョン放送受信装置にユーザのキー操作の履歴を記憶するメモリを付加することにより、ユーザの使用頻度の高いキーを識別表示できるキーガイド表示を可能とする。
【発明の効果】
【００１３】
上記のような構成により、操作ガイドキーを押すという操作なしに、同一キーに異なる機能を割り当てたリモコンを有するテレビジョン放送受信装置において、リモコンの操作キーに対応したメニューと操作メニューに対応した適切なリモコン操作ガイドをユーザのキー操作と連動させて表示することが可能となり、ユーザの操作性が向上する。
【発明を実施するための最良の形態】
【００１４】
以下、本発明の実施の形態について、図面を参照しながら説明する。
【００１５】
（実施の形態１）
図１は本発明の実施の形態１におけるテレビジョン放送受信装置のブロック図を示す。
【００１６】
１００はリモコン送信器、１０１はリモコンを受信するリモコン受信部、１０２はメニュー表示制御部１０３とキーガイド表示制御部１０４を有する制御部、５はキーガイド判断部、１０６はＲＡＭ１０７、プログラムＲＯＭ１０８、不揮発性ＲＯＭ１０９を含む記憶部、１１０は画面にメニューとキーガイド表示するための表示部である。
【００１７】
図２は図１におけるリモコン送信器１００の詳細図である。２００は決定キー、２０１はメニューキー、２０３は十字下キー２０２を含む他の上左右３つのキーを合わせた十字キー、２０４は４種類の色を持つカラーキー、２０５は０から９までのテンキー、２０６は通常、ポジション切替に用いるポジション上下キーである。
【００１８】
まず、図１と図２において動作の概要を説明する。リモコン１００のメニューキー２０１が押されるとリモコン受信部１０１で受信され、制御部１０２に通知される。制御部１０２は記憶部１０６のプログラムＲＯＭ１０８に書かれたプログラムとＲＡＭ１０７を作業用メモリとして使用し、以降の制御を行う。制御部１０２はメニューキーが押されたと判断するとメニュー表示制御部１０３はメニュー表示データを表示部１１０に書き込みメニューが画面に表示される。この時メニュー表示制御部１０３は以前ユーザが操作したメニュー選択項目情報をＲＡＭ１０７から取り出し、該当するメニュー項目を選択されていない項目と区別できる表示、例えばハイライト表示にする。キーガイド表示制御部１０４はハイライト表示されたメニュー選択項目に応じた操作キーと各操作キーのキーガイドをキーガイド判断部１０５により判断し、キーガイドの表示データを表示部１１０に書き込みキーガイド表示を表示する。
【００１９】
図３、図４、図５は本発明によるメニューとキーガイドの表示例である。図２のメニューキー２０１を押した時の表示例が図３であり、図３の表示中に図２の十字下キー２０２を押してメニュー選択項目を下に移動させたときの表示例が図４である。
【００２０】
図３の３０１はメニュー表示、３０２はメニューの選択項目表示である。３０３はメニュー表示３０１に対応したキーガイド表示、３０４は十字左右キーのキーガイド表示を示している。３０５は十字上下キーのキーガイド表示を示している。
【００２１】
図４の４０１はメニュー表示、４０２はメニューの選択項目表示である。４０３はメニュー表示４０１に対応したキーガイド表示、４０４は十字左右キーのキーガイド表示を示している。
【００２２】
図３から図４におけるユーザの操作は十字下キー２０２を押したのみであるが、メニューの選択項目が“初期設定”（図３の３０２）から“言語切替”  （図４の４０２）に切り換わっていると同時に、キーガイド表示の十字左右キーの動作説明が“次のメニュー”（図３の３０４）から“切り替える”（図４の４０４）に換わっている。同一メニューのユーザ操作において、メニューの選択している項目に応じて十字左右キーのキーガイド表示が適切なガイドに更新されたことがわかる。
【００２３】
また、図５は図３と図４とは異なるメニュー階層のメニューとキーガイドの表示例である。５０１は選局メニュー表示、５０２はメニューの選択項目表示である。５０３はメニュー表示５０１に対応したキーガイド表示を示し、５０４は十字左右キーのキーガイド表示である。５０５は決定キーのキーガイド表示、５０６はテンキーのキーガイド表示、５０７はポジジョン上下キーのキーガイド表示である。
【００２４】
図５と図３、図４との表示例の違いで特出すべき点は、図３と図４の違いにあった十字左右キーのキーガイド表示のみならず、キーガイド表示５０３中の操作キーガイドの種類が増えているという点である。具体的には決定キーのキーガイド表示５０５、テンキーのキーガイド表示５０６、ポジジョン上下キーのキーガイド表示５０７が増えている。メニューの選択項目である“微調整”の操作はポジション毎に調整が必要であることから、ポジションを選択するためのテンキー、ポジション上下キー及びポジションに記憶させるための決定キーの説明が加わっている。すなわち、選択されたメニュー項目の操作に必要充分な操作キーのキーガイドが表示されている。
【００２５】
以上、図３、図４、図５の表示例が示すようにメニュー選択項目に応じて操作に必要なキーと各操作キーに対応した動作説明表示が可能となっている。
【００２６】
これまでテレビジョン放送受信装置の各種設定や調整のメニュー表示例を示してきたが、メニューだけではなく、既に普及している電子番組表の操作ガイドについても同様の効果を得ることができる。その表示例が図６である。
【００２７】
６０１は電子番組表、６０２は電子番組表のキーガイド表示、６０３は十字上下キーのキーガイド表示、６０４はポジション上下キーのキーガイド表示、６０５はカラーキーのキーガイド表示、６０６は十字左右キーのキーガイド表示である。
【００２８】
図３、図４、図５、図６の表示例から、十字キーに着目しただけでも、十字左右キーのキーガイド表示は“次のメニューへ”、（３０４）“切り替える”（４０４）、“調整をする”（５０４）、“番組を選択する”（６０６）、十字上下キーのキーガイド表示は“項目を選択する”（３０５）、“チャンネルを選択する”（６０３）というように、同一キーに異なる機能を割り当てたリモコンの適切なキーガイドを行っている。
【００２９】
図７にてキーガイド表示の制御について詳しく説明する。
【００３０】
図７は図１のキーガイド判断部１０５を備えたキーガイド表示制御部１０６の動作を説明するフローチャートである。
【００３１】
まず始めに現在選択しているメニューのデータ（図３であれば“メインメニュー”にあたる）をＲＡＭ１０７より読み出す（Ｓ７０２）。次に選択しているメニュー項目のデータ
（図３であれば“初期設定”にあたる）をＲＡＭ１０７より読み出す（Ｓ７０４）。読み出した２つのデータ、メニューとメニュー項目のデータから現在、操作に必要なキーの種類と数をプログラムＲＯＭ１０８から読み出す（Ｓ７０６）。読み出したキーの種類と数に適合した操作キーの図のデータをプログラムＲＯＭ１０８から読み出す（Ｓ７０８）。各操作キーの動作説明の文字データをプログラムＲＯＭ１０８から読み出す（Ｓ７１０）。Ｓ７０８で読み出した操作キーの図のデータとＳ７１０で読み出した文字データを合成し、表示部１１０へ書き込む。この一連の動作により、同一キーに異なる機能を割り当てたリモコンの適切なキーガイド表示を可能とする。
【００３２】
（実施の形態２）
図１のテレビジョン放送受信装置のブロック図を用いて、実施の形態２を説明する。
【００３３】
リモコン１００のメニューキー２０１が押されて、メニュー表示制御部１０３からメニュー表示のデータが表示部１１０に書き込まれるまでの動作は、前述、実施の形態１図１の説明と同じである。キーガイド表示制御部１０４の制御の違いだけを後述する。キーガイド表示制御部１０４は、不揮発性ＲＯＭ１０９から現在のメニュー選択項目におけるユーザのキー操作の履歴を読み出し、ユーザの使用頻度の高いキーのキーガイドを他の操作キーのキーガイドと識別できるように操作キーもしくは動作説明文もしくは操作キーと動作説明文の表示色を変えた、もしくは表示自体に動きのある（例えば、点滅表示などの）キーガイド表示データを表示部１１０に書き込み、キーガイド表示を画面表示する。
【００３４】
図８は実施の形態２における図１のキーガイド判断部１０５を備えたキーガイド表示制御部１０６の動作を説明するフローチャートである。
【００３５】
Ｓ８０２からＳ８１０までは現在の操作に必要なキーの図のデータと動作説明の文字データをプログラムＲＯＭ１０８から読み出すまでの動作説明であり、前述図７のＳ７０２からＳ７１０までの説明と同じである。異なる点は現在のメニュー選択項目におけるユーザのキー操作の履歴を不揮発性ＲＯＭ１０９から読み出し（Ｓ８１２）、Ｓ８０８で読み出した操作キーの図のデータとＳ８１０で読み出した文字データを合成する際に、ユーザの使用頻度の高いキーの図のデータもしくは文字データを通常のパターンとは違った表示色もしくは表示自体に動きのある（例えば、点滅表示などの）データに加工して表示部１１０へ書き込む（Ｓ８１４）。
【００３６】
表示された画面表示においては、ユーザの使用頻度の高いキーガイドが視覚的に瞬時に区別でき、ユーザの次のキー操作を促すこと効果が生まれ、ユーザの操作性を向上させることが可能となる。
【００３７】
なお、本発明ではテレビジョン放送受信装置を例にあげて説明したが、表示部が別体となったＳＴＢ（Ｓｅｔ  Ｔｏｐ  Ｂｏｘ）でも同様の効果をあげることができる。
【産業上の利用可能性】
【００３８】
本発明のテレビジョン放送受信装置のリモコン操作ガイドは、同一キーに異なる機能を割り当てたリモコンもしくは本体キーを有するテレビジョン放送受信装置のみならず、ＤＶＤディスクプレーヤ等のＡＶ機器や同一キーに異なる機能を割り当てたリモコンもしくは本体キーで制御する装置においても適用できる。
【図面の簡単な説明】
【００３９】
【図１】本発明の実施の形態１のテレビジョン放送受信装置を示すブロック図
【図２】本発明の実施の形態１のテレビジョン放送受信装置のリモコン図
【図３】本発明によるメニューとキーガイド表示を示す図
【図４】本発明によるメニューとキーガイド表示を示す図
【図５】本発明によるメニューとキーガイド表示を示す図
【図６】本発明によるメニューとキーガイド表示を示す図
【図７】本発明の実施の形態１のキーガイド表示手段を説明するフローチャート
【図８】本発明の実施の形態２のキーガイド表示手段を説明するフローチャート
【図９】従来の光ディスクプレーヤのメニューと十字キーガイド表示を示す図
【符号の説明】
【００４０】
１００    リモコン送信器
１０１    リモコン受信部
１０２    制御部
１０３    メニュー表示制御部
１０４    キーガイド表示制御部
１０５    キーガイド判断部
１０６    記憶部
１０７    ＲＡＭ
１０８    プログラムＲＯＭ
１０９    不揮発性ＲＯＭ
１１０    表示部
２００    決定キー
２０１    メニューキー
２０２    十字下キー
２０３    十字キー
２０４    カラーキー
２０５    テンキー
２０６    ポジション上下キー
３０１    メニュー表示
３０２    メニューの選択項目表示
３０３    キーガイド表示
３０４    十字左右キーのキーガイド表示
３０５    十字上下キーのキーガイド表示
４０１    メニュー表示
４０２    メニューの選択項目表示
４０３    キーガイド表示
４０４    十字左右キーのキーガイド表示
５０１    メニュー表示
５０２    メニューの選択項目表示
５０３    キーガイド表示
５０４    十字左右キーのキーガイド表示
５０５    決定キーのキーガイド表示
５０６    テンキーのキーガイド表示
５０７    ポジション上下キーのキーガイド表示
６０１    電子番組表
６０２    キーガイド表示
６０３    十字上下キーのキーガイド表示
６０４    ポジション上下キーのキーガイド表示
６０５    カラーキーのキーガイド表示
６０６    十字左右キーのキーガイド表示
【図１】
2006238279.tif 000003
【図２】
2006238279.tif 000004
【図３】
2006238279.tif 000005
【図４】
2006238279.tif 000006
【図５】
2006238279.tif 000007
【図６】
2006238279.tif 000008
【図７】
2006238279.tif 000009
【図８】
2006238279.tif 000010
【図９】
2006238279.tif 000011